(57)【要約】【課題】本考案の課題は、Ｖ字形にして立てて使用する脚立等の、片方の脚部材１を回動させて両脚部材１、１を直線状にして、壁面に立て掛けて使用するとき、接地面に対するときのみでなく、壁面に対しても、台座本体７を装着した脚部材１の先端が壁面を傷つけたり痕跡を残したり滑動したりすることのないようにした台座を得ることにある。【解決手段】脚立等の脚部材１の足底を載置する台板２の後縁に、脚部材緊縛具３の止着部４を備えた脚当て体５を立設し、該脚当て体５と台板２の接地面との間の角度を安全限界角度α°に設定し、前記台板２の後縁に脚当て体５より後方に傾く壁当て体６を立設し、該壁当て体６と脚当て体５との間の角度を直角から前記安全限界角度α°を減じた角度β°に設定した台座本体７と、脚郎材緊縛具３とより構成する。【選択図】図１
0003122649.tif 000002
【実用新案登録請求の範囲】
【請求項１】
脚立等の脚部材１の足底を載置する台板２の後縁に、脚部材緊縛具３の止着部４を備えた脚当て体５を立設し、該脚当て体５と台板２の接地面との間の角度を安全限界角度α°に設定し、前記台板２の後縁に脚当て体５より後方に傾く壁当て体６を立設し、該壁当て体６と脚当て体５との間の角度を直角から前記安全限界角度α°を減じた角度β°に設定した台座本体７と、脚部材緊縛具３とより成ることを特徴とする脚立等の脚部材１の台座。
【請求項２】
脚当て体５と壁当て体６とを一体成型したことを特徴とする請求項１に記載の脚立等の脚部材１の台座。
【請求項３】
脚立等の脚部材１の足底を載置する台板２の後縁に、脚部材緊縛具３の止着部４を備えた脚当て体５を立設し、該脚当て体と台板の接地面との間の角度を安全限界角度α°に設定し、前記台板２の後縁に脚当て体５より後方に傾く壁当て体６を立設し、該壁当て体６と脚当て体５との間の角度を直角から前記安全限界角度α°を減じた角度β°に設定した台座本体７と、脚立等の脚部材１の足底を載置する台板２の後縁に、脚部材緊縛具３の止着部４を備えた脚当て体５を立設し、該脚当て体５と台板２の接地面との間の角度を安全限界角度α°に設定した簡易台座本体１２と、脚部材緊縛具３とより成ることを特徴とする脚立等の脚部材１の台座。
【請求項４】
脚当て体５と壁当て体６とを一体成型したことを特徴とする請求項３に記載の脚立等の脚部材１の台座。
【請求項５】
脚立等の脚部材１の足底を載置する台板２の後縁に、脚部材緊縛具３の止着部４を備えた脚当て体５を立設し、該脚当て体と台板の接地面との間の角度を安全限界角度α°に設定し、前記台板２の後縁に脚当て体５より後方に傾く壁当て体６を立設し、該壁当て体６と脚当て体５との間の角度を直角から前記安全限界角度α°を減じた角度β°に設定した台座本体７の偶数個と、脚部材緊縛具３とより成ることを特徴とする請求項１または請求項２に記載の脚立等の脚部材１の台座。
【請求項６】
台板２の側方および／または前方に、拡大板１３を延設したことを特徴とする請求項１、請求項２、請求項３、請求項４または請求項５に記載の脚立等の脚部材１の台座。
【請求項７】
脚当て体５と壁当て体６とを側板９で連結し、該側板９の側部に係止片を突設しまたは透孔１０を穿ってそれを脚部材緊縛具３の止着部４としたことを特徴とする請求項１、請求項３、請求項５または請求項６に記載の脚立等の脚部材１の台座。
【請求項８】
脚当て体５と壁当て体６とを一体成型し、その側部に係止片を突設しまたは両者の中間に透孔１０を穿ってそれを脚部材緊縛具３の止着部４としたことを特徴とする請求項２、請求項４、請求項５または請求項６に記載の脚立等の脚部材１の台座。
【請求項９】
脚当て体５の両端縁に、脚部材１の足の側部および／または前部に当たる側当て体１４を連接したことを特徴とする請求項１、請求項２、請求項３、請求項４、請求項５、請求項６、請求項７または請求項８に記載の脚立等の脚部材１の台座。
【請求項１０】
台座本体７および／または簡易台座本体１２を一体成型したことを特徴とする請求項９に記載の脚立等の脚部材１の台座。
【考案の詳細な説明】
【技術分野】
【０００１】  本考案は、梯子状の脚部材１の一端を回動可能に連結し、全体を逆Ｖ字形にしたり、直線状にしたりして使用する器具（「脚立等」と略称する。）に関するものである。
使用中において脚立が倒れたりせずに安定した立姿が保持されるよう、安全性が守られる限界を示す角度すなわち「安全限界角度」が定められ、脚立にあっては、その角度は、接地面と脚部材１との間で測定した約７５°が一般に採用されている。
【背景技術】
【０００２】  脚立等を、その脚部材を逆Ｖ字形にして地面や床や畳等の上（「接地面」と略称する。）に立てて使用するとき、脚部材の他端（連結されていないほうの端部）は、接地面に当接する。そのとき、当接された両脚部材の他端には、接地面を傷つけたり痕跡を残したり滑動したりすることのないように、従来は、ゴムや合成樹脂製の保護キャップが装着されていた。【０００３】  片方の脚部材を回動させ、両脚部材を直線状にして、壁や立ち木等（「壁面」と略称する。）に立て掛けて使用するとき、片方の脚部材の先端は壁面に当接し、他方の脚部材の下端は接地面に当接する。そのとき、壁面に当接する脚部材の保護キャップは、接地面に当接するときはその全面積でかかる全重量を受け止めるように作られているが壁面に当接するときはそのように作られていないため、壁面には保護キャップの角が当たり、壁面を傷つけたり痕跡を残したり滑動したりしていた。
【考案の開示】
【考案が解決しようとする課題】
【０００４】  従来の脚立等は、上述したように、脚部材を逆Ｖ字形にして接地面に立てて使用するときは問題がなかったとしても、その同じ脚立を壁面に立て掛けて使用するときは、上述したように大きな問題が生じていた。【０００５】  本考案の課題は、従来の保護キャップに代えて用いられる本考案の台座本体７を、接地面に対するときのみでなく、壁面に対しても、壁面を傷つけたり痕跡を残したり滑動したりしないように構成して、上述の問題を解決することにある。そしてさらに加えて、そのものを、広い面積によって脚部材１の足底にかかる重量を受け止め、安価で取り付け易いように実用性の高いものに構成することにある。
【課題を解決するための手段】
【０００６】  片方の脚部材１を回動させ、両脚部材１、１を直線状にして、壁や立ち木等に立て掛けて使用するとき、壁面に当接する片方の脚部材１の保護キャップが、その全面積で足底にかかる全重量を受け止められるようにするため、取り付け易くするため本考案では次の手段を採用した。
脚立等の脚部材１の足底を載置する台板２の後縁に、脚部材緊縛具３の止着部４を備えた脚当て体５を立設し、該脚当て体５と台板２の接地面との間の角度を安全限界角度α°に設定し、前記台板２の後縁に脚当て体５より後方に傾く壁当て体６を立設し、該壁当て体６と脚当て体５との間の角度を直角から前記安全限界角度α°を減じた角度β°に設定した台座本体７と、脚部材緊縛具３とより成るものとした。なお、後記手段では脚部材緊縛具３を省略する。【０００７】  脚当て体５と壁当て体６とを製造しやすくするため、本考案では次の手段を採用した。
脚当て体５と壁当て体６とを一体成型した。【０００８】  両脚部材１、１を直線状にして、壁や立ち木等に立て掛けて使用するとき、回動させないほうの脚部材１は、壁面に当接しないから壁当て体６は不要である。そこで、壁当て体６を備えた台座本体７と備えない簡易台座本体１２とを組み合わせられるようにするため、本考案では次の手段を採用した。
脚立等の脚部材１の足底を載置する台板２の後縁に、脚部材緊縛具３の止着部４を備えた脚当て体５を立設し、該脚当て体と台板の接地面との間の角度を安全限界角度α°に設定し、前記台板２の後縁に脚当て体５より後方に傾く壁当て体６を立設し、該壁当て体６と脚当て体５との間の角度を直角から前記安全限界角度α°を減じた角度β°に設定した台座本体７と、脚立等の脚部材１の足底を載置する台板２の後縁に、脚部材緊縛具３の止着部４を備えた脚当て体５を立設し、該脚当て体５と台板２の接地面との間の角度を安全限界角度α°に設定した簡易台座本体１２とより成るものとした。【０００９】  段落０００８に記載したものにおいて、脚当て体５と壁当て体６とを製造しやすくするため、本考案では次の手段を採用した。
脚当て体５と壁当て体６とを一体成型した。【００１０】  台座本体７を両方の脚部材１に装着できるようにするため、本考案では次の手段を採用した。
脚立等の脚部材１の足底を載置する台板２の後縁に、脚部材緊縛具３の止着部４を備えた脚当て体５を立設し、該脚当て体と台板の接地面との間の角度を安全限界角度α°に設定し、前記台板２の後縁に脚当て体５より後方に傾く壁当て体６を立設し、該壁当て体６と脚当て体５との間の角度を直角から前記安全限界角度α°を減じた角度β°に設定した台座本体７の偶数個と、脚部材緊縛具３とより成るものとした。【００１１】  広い面積によって脚部材１の足底にかかる重量を受け止められるようにするため、本考案では次の手段を採用した。
台板２の側方および／または前方に、拡大板１３を延設した。【００１２】  脚当て体５と壁当て体６とを側板９で連結したものにおいて、脚部材緊縛具３の止着部４を設けやすくするため、本考案では次の手段を採用した。
脚当て体５と壁当て体６とを連結した側板９の側部に係止片を突設しまたは透孔１０を穿ってそれを脚部材緊縛具３の止着部４とした。【００１３】  脚当て体５と壁当て体６とを一体成型したものにおいて、脚部材緊縛具３の止着部４を設けやすくするため、本考案では次の手段を採用した。
一体成型したものの側部に係止片を突設しまたは脚当て体５と壁当て体６との中間に透孔１０を穿ってそれを脚部材緊縛具３の止着部４とした。【００１４】  脚部材１の足が妄りに台板２から外れたりしないようにするため、本考案では次の手段を採用した。
脚当て体５の両端縁に、脚部材１の足の側部および／または前部に当たる側当て体１４を連接した。【００１５】  台座本体７および／または簡易台座本体１２の全体を一挙に製造できるようにするため、本考案では次の手段を採用した。
台座本体７および／または簡易台座本体１２の全体を一体成型するようにした。
【考案の効果】
【００１６】  脚立等は、梯子状の脚部材１を回動させて逆Ｖ字形に開き、脚部材１が接地面に対し安全限界角度約７５°を保つようにして、立てて使用する。その際、本考案の脚部材１の足は、脚当て体５の止着部４に止着された脚部材緊縛具３によって脚当て体５に対し容易にそしてしっかりと緊縛される。そのとき、脚部材１の足底にかかる全重量は台板２の接触面全体で受け止められ、脚部材１の背面は脚当て体５にぴったりと接する。それは、「脚部材１の足底を載置する台板２の後縁に、脚部材緊縛具３の止着部４を備えた脚当て体５を立設し、該脚当て体５と台板２の接地面との間の角度を安全限界角度α°に設定し」てあるためである。これにより脚立を接地面上に立てて使用するとき、本考案によれば、脚部材１の足端が接地面を傷つけたり痕跡を残したり滑動したりすることのないようにできる。【００１７】  また、片方の脚部材１を回動させ、両脚部材１、１を直線状にして、壁面に立て掛けて使用するとき、他方の脚部材１の接地面に対する角度は、安全限界角度約７５°ないしはそれよりも大きい角度に保たれ、換言すれば安全に使用できる角度が保たれ、壁当て体６の全面積ないしほぼ全面積が壁面に接するようになる。それは、「台板２の後縁に脚当て体５より後方に傾く壁当て体６を立設し、該壁当て体６と脚当て体５との間の角度を直角から前記安全限界角度α°を減じた角度β°に設定し」てあるためである。これにより脚立を壁面に立て掛けて使用するとき、本考案によれば、上方に伸ばした脚部材１の足端が壁面を傷つけたり痕跡を残したり滑動したりすることのないようにできる。【００１８】  なお、図３（ｂ）の状態が生じるのは、脚部材１の長さより長くなった台板２の長さが障害になって脚部材１の足端部イが壁面の下端から若干離れてしまうか、または（ａ）図に示すように台板２の長さが短くても、脚部材１の足端部イを壁面の下端から若干離して脚立を設置してしまった場合などであるが、図に示すδ°は通常僅かな角度であるから、壁当て体６の大部分の面積は壁面に接触し、壁当て体６を屈撓性をもつ合成樹脂等の素材で形成すれば壁当て体６の全面が壁面に当接するようになる。【００１９】  上述の段落００１６および００１７の効果は、一個の台座本体７によって達成される。それは、台座本体７が前記の二つの構成を欠くことのできないものとして併せ備えているからに他ならない。【００２０】  本考案では、脚当て体５と壁当て体６とを一体成型して安全限界角度α°を一律に定め、それに台板２を付設するという工程によって、全体を製造し易くすることができる。【００２１】  片方の脚部材１を回動させ、両脚部材１、１を直線状にして、壁面に立て掛けて使用するとき、他方の脚部材１は接地面に接しており壁面に接していない。。それは、他方の脚部材１においては壁当て体６を必要としていないということを意味する。そのときのために、本考案では、壁当て体６を備えた台座本体７と壁当て体６を備えない簡易台座本体１２とを組み合わせせて使用できるようになっている。【００２２】  本考案では、段落００１９のものにおいて、その脚当て体５と壁当て体６とを一体成型して安全限界角度α°を一律に定め、それに台板２を付設することによって、全体を製造し易くすることができる。【００２３】  本考案では、壁当て体６を備えた台座本体７の偶数個を同時に使用することができるようにして、脚部材１を直線状に伸ばし壁面に立て掛けて使用するとき、どちらの脚部材１を回動させても、上方に伸ばした脚部材１の足端が壁面を傷つけたり痕跡を残したり滑動したりすることのないようになっている。【００２４】  脚部材１の足底には、通常大きな重量がかかる。この重量を、足底の面積に等しい台板２で受けるとすれば台板２は非常に大きな強度を持つ素材で作らなければならず、その素材で作ったとしても、脚部材１の足端は接地面を傷つけたり痕跡を残したり滑動したりし易い。そのようなことが起こらないように、本考案では、台板２の側方および／または前方に、拡大板１３を延設して、広い面積によって脚部材１の足底にかかる全重量を受け止めることができるようにした。【００２５】  本考案の脚部材１の足は、脚当て体５の止着部４に止着された脚部材緊縛具３によって脚当て体５に対し容易にそしてしっかりと緊縛される。そのため、止着部４は、止着し易くかつ脚部材緊縛具３を脚当て体５に強固に止め付けることのできるものでなくてはならない。本考案では、脚当て体５と壁当て体６とを側板９で連結し、その側板９の側部に係止片を突設しまたは透孔１０を穿ってそれを脚部材緊縛具３の止着部４とした。【００２６】  脚当て体５と壁当て体６とを一体成型したものについても、本考案では、一体成型の側部に係止片を突設しまたは脚当て体５と壁当て体６との中間に透孔１０を穿ち、それを脚部材緊縛具３の止着部４として、脚部材１の足を脚当て体５に対し脚部材緊縛具３によって容易にそしてしっかりと緊縛することができる。【００２７】  脚部材１の足を脚当て体５に対し脚部材緊縛具３によってしっかりと緊縛したとしても、大きな横方向の力が加わったときには、脚部材１の足が台板２から外れるようなことが起こる。本考案では、脚当て体５の両端縁に、脚部材１の足の側部および／または前部に当たる側当て体１４を連接して、脚部材１の足が妄りに台板２から外れたりしないようにすることができる。【００２８】  脚立等の脚部材１の台座は、同じ形のものが数多く準備されていなければならない。本考案では、台座本体７および／または簡易台座本体１２の全体を一体成型するようにしたため、同じ形のものを一挙に連続してしかも安価に製造することができる。
【考案を実施するための最良の形態】
【００２９】  脚立等の脚部材１の足底を載置する台板２の後縁に、脚部材緊縛具３の止着部４を備えた脚当て体５を立設し、該脚当て体５と台板２の接地面との間の角度を安全限界角度約７５°に設定し、前記台板２の後縁に脚当て体５より後方に傾く壁当て体６を立設し、該壁当て体６と脚当て体５との間の角度を直角から前記安全限界角度約７５度°を減じた角度約１５°に設定し、台板２の側方から前方にかけて拡大板１３を延設し、脚当て体５の両端縁に、脚部材１の側部に当たる側当て体を連接し、これらのすべてを一体成型した台座本体７と、脚部材緊縛具３とより成るものとする。
【実施例】
【００３０】  添付図面を参照しながら、本考案の実施例を説明する。
図１は、本考案の一実施例を示す斜視図である。
図２は、他の実施例を示すものであって、（ａ）はその立面図、（ｂ）はその側面図、（ｃ）はその平面図である。
図３は、本考案の台座を装着した脚立の二様の使用状態を示したもので、脚立を逆Ｖ字形に接地面上に立てたときの脚部材１を実線で、一方の脚部材１を回動させ脚立を壁面に立て掛けたときの脚部材１を一点鎖線で示す。（ａ）は台板２の面積が脚部材の足底の面積にほぼ等しく、壁面に近い脚部材１の足端部イが壁面の下端に接している場合の状態であり、（ｂ）は台板２の長さが脚部材１の足底の長さより長く延び出ている台座本体７を装着した一方の脚部材１の足端部イが、壁面の下端から若干離れており、かつ他方の脚部材１に簡易台座本体１２を装着した場合の状態である。【００３１】  台板２は、特に、脚部材１の足にかかる重量を支えられる素材で作る必要がある。壁当て体６の素材は、脚立等を壁面に立て掛けたとき、そのほぼ全面が壁面に接するように、若干可撓性をもった素材で作ることが望ましい。
脚部材緊縛具３は、脚部材を緊縛できる強さの素材、布、ゴム、鎖、金属片等を用い、図２に示す帯状または紐状等のものとすることができる。そしてその端部にはフック状またはパイル状の接着部を設けたり、止着部４に適応した止着片を設ける。【００３２】  止着部４は図１や図２（ａ）に示す透孔１０、あるいは図示を省略した係止片例えば鉤片その他の止着部とすることができる。図１の場合には、帯状または紐状の脚部材緊縛具３を透孔１０に通してその端部を脚部材の周囲に回し脚部材１の足を緊縛する。図２の場合には、帯状または紐状の脚部材緊縛具３を透孔１０に通してその端部を脚部材の周囲に回し脚部材１の足を緊縛するか、または、例えばゴム紐等の端部に取り付けた鉤などを透孔１０の縁にまたは突設された係止片に架けるようにする。【００３３】  脚当て体５と壁当て体６との一体成型は、合成樹脂等を用いて行われる。そして、それは台板２の後縁に接続される。
簡易台座本体１２は、台板２の後縁に脚当て体５を接続して作る。【００３４】  拡大板１３を設けるときは、図１、図２または図３（ｂ）に示したように、脚部材１の足底の面積より広い板を用い、その中間を台板２としたほうが簡単である。【００３５】  台座本体７および／または簡易台座本体１２の一体成型は、合成樹脂等を用いれば容易に行うことができる。
【図面の簡単な説明】
【００３６】
【図１】本考案の一実施例を示す斜視図である。
【図２】他の実施例を示すものであって、（ａ）はその立面図、（ｂ）はその側面図、（ｃ）はその平面図である。
【図３】本考案の台座を装着した脚立の二様の使用状態を示したもので、（ａ）は台板２の面積が脚部材の足底の面積にほぼ等しく、壁面に近い脚部材１の足端部イが壁面の下端に接している場合の状態であり、（ｂ）は台板２の長さが脚部材１の足底の長さより長く延び出ている台座本体７を装着した一方の脚部材１の足端部イが、壁面の下端から若干離れており、かつ他方の脚部材１に簡易台座本体１２を装着した場合の状態である。
【符号の説明】
【００３７】  １    脚部材
２    台板
３    脚部材緊縛具
４    止着部
５    脚当て体
α°  安全限界角度
β°  直角から安全限界角度α°を減じた角度
６    壁当て体
７    台座本体
９    側板
１０  透孔
１２  簡易台座本体
１３  拡大板
１４  側当て体
【図１】
0003122649.tif 000003
【図２】
0003122649.tif 000004
【図３】
0003122649.tif 000005